(57)【要約】【課題】凹凸屋根材同士を、屋根の流れ方向に連結させることができる凹凸屋根材の接続構造、および凹凸屋根材の接続部材を提供する。【解決手段】本発明の凹凸屋根材２の接続構造は、第１の凹凸屋根材２３と、第２の凹凸屋根材２４と、第１の凹凸屋根材２３と第２の凹凸屋根材２４との間に配置された接続部材３とを備えている。接続部材３は、凹条３１と凸条３２とが軒方向に繰り返し形成されている。また、この接続部材３は、第１の凹凸屋根材２３の水上側端部に接続される第一接続部３３と、第２の凹凸屋根材２４の水下側端部に接続される第二接続部３４とを有している。凹条３１は、第１の凹凸屋根材２３の凹部２１と第２の凹凸屋根材２４の凹部２１とを接続する。凸条３２は、第１の凹凸屋根材２３の凸部２２と第２の凹凸屋根材２４の凸部２２とを接続する。【選択図】図１
2015151726.tif 000002
【特許請求の範囲】
【請求項１】
凹部と凸部とが軒方向に繰り返し形成された凹凸屋根材の接続構造であって、
第１の凹凸屋根材と、
この第１の凹凸屋根材の水上側の端部に対向配置された第２の凹凸屋根材と、
前記第１の凹凸屋根材と前記第２の凹凸屋根材との間に配置された接続部材と
を備え、
前記接続部材は凹条と凸条とが軒方向に繰り返し形成されたものであり、
当該接続部材は、
水下側端部に設けられ前記第１の凹凸屋根材の水上側端部に接続される第一接続部と、
水上側端部に設けられ前記第２の凹凸屋根材の水下側端部に接続される第二接続部と
を有しており、これにより、前記凹条が前記第１の凹凸屋根材の凹部と前記第２の凹凸屋根材の凹部とを接続し、前記凸条が前記第１の凹凸屋根材の凸部と前記第２の凹凸屋根材の凸部とを接続するものである
ことを特徴とする凹凸屋根材の接続構造。
【請求項２】
前記接続部材の凹条が前記第一接続部側に向かうほど幅狭となるように形成され、且つ前記凸条が前記第一接続部側に向かうほど幅広となるように形成されており、
前記第一接続部が前記第１の凹凸屋根材に対し上方に重ねることで接続され、
前記第二接続部が前記第２の凹凸屋根材に対し下方に重ねることで接続される
ことを特徴とする請求項１記載の凹凸屋根材の接続構造。
【請求項３】
前記接続部材は、
前記第一接続部が、前記第１の凹凸屋根材の水上側端部が挿入される第一挿入部であり、
前記第二接続部が、前記第２の凹凸屋根材の水下側端部が挿入される第二挿入部である
ことを特徴とする請求項１記載の凹凸屋根材の接続構造。
【請求項４】
第１の凹凸屋根材と、この第１の凹凸屋根材の水上側の端部に対向配置された第２の凹凸屋根材とを相互に接続するための接続部材であって、
軒方向に凹条と凸条とが繰り返し形成されたものであり、
前記凹条が水下側の端部に向かうほど幅狭となるように形成され、且つ前記凸条が水下側の端部に向かうほど幅広となるように形成され、
当該接続部材の水下側の端部が前記第１の凹凸屋根材の水上側の端部の上方に重ねられ且つ当該接続部材の水上側の端部が前記第２の凹凸屋根材の水下側の端部の下方に重ねられることで、前記凹条が前記第１の凹凸屋根材の凹部と前記第２の凹凸屋根材の凹部とを接続し、前記凸条が前記第１の凹凸屋根材の凹部と前記第２の凹凸屋根材の凹部とを接続するものである
ことを特徴とする凹凸屋根材の接続部材。
【請求項５】
軒方向の両端には、前記凹条の底面から立ち上げられた立上片が設けられており、
この立上片には水返し部が設けられ、
この水返し部の水上側の端面が、前記第２の凹凸屋根材の位置決め部となる
ことを特徴とする請求項４記載の凹凸屋根材の接続部材。
【請求項６】
第１の凹凸屋根材と、この第１の凹凸屋根材の水上側の端部に対向配置された第２の凹凸屋根材とを相互に接続するための接続部材であって、
軒方向に凹条と凸条とが繰り返し形成されたものであり、
水下側の端部に設けられ前記第１の凹凸屋根材の水上側端部が挿入される第一挿入部と、
水上側の端部に設けられ前記第２の凹凸屋根材の水下側端部が挿入される第二挿入部と
を備えている
ことを特徴とする凹凸屋根材の接続部材。
【発明の詳細な説明】
【技術分野】
【０００１】
本発明は、凹凸屋根材の接続構造、および凹凸屋根材の接続部材に関し、より詳しくは、複数の凹凸屋根材同士を屋根勾配方向に接続した接続構造、およびこれに用いられる接続部材に関するものである。
【背景技術】
【０００２】
一般に、凹凸屋根材や折板屋根材，縦平屋根材等の金属製の縦葺き屋根材は、屋根勾配方向においては継ぎ目のない一枚の屋根材として施工されるため、止水性に優れるという利点がある。ところが、このような金属製の縦葺き屋根材は、工場や体育館などの大型の建物に用いられることが多いため、長手方向に長いものであり、成形した状態では運搬等ができない。このため、大型の建物に用いられる金属製の縦葺き屋根材は、例えば、ロール成形機とロール状の金属板（いわゆるフープ材）とを現場に搬入し、現場でロール成形機によって成形しながら、取り付け施工される。
【０００３】
ところで、このような縦葺き屋根材は、住宅家屋に用いられる場合もある。住宅家屋における縦葺き屋根材の施工は、ロール成形機を搬入できる程の敷地面積が確保できない場合が多く、トラック等により屋根材を現場に運搬して行われる。なお、従来の住宅家屋においては、切妻屋根や寄棟屋根が主流であるため、軒棟方向の長さが短く、従って、トラック等で運搬可能な大きさの屋根材を使用することができる。
【０００４】
しかしながら、近年、太陽光パネルの普及に伴い、片流れ屋根等のように一の屋根面の面積が大きな屋根を有する住宅家屋が増え、また、大型の住宅家屋も増えてきている。このため、家屋の屋根の軒棟方向の長さが、運搬可能な屋根材よりも長いケースが増えてきている。
【０００５】
ここで、高い止水性を確保しながら縦葺き外装材を流れ方向に連結する構造が、特許文献１に開示されている。この特許文献１記載の外装材は、中央の面板部の左右側片に内側立上り部が設けられた、いわゆる縦平屋根材である。
【０００６】
この外装材の水上側の端部には、他の外装材の水下側の端部が、上方から重ねることで連結される。これにより、この特許文献１記載の屋根構造は、複数の縦葺き外装材が流れ方向に沿って連結されて構成されている。
【先行技術文献】
【特許文献】
【０００７】
【特許文献１】特開平９−１２５６２１号公報
【発明の概要】
【発明が解決しようとする課題】
【０００８】
ところでこの外装材は、面板部の幅方向の両端の内側立上り部が左右方向へ撓みやすい構造となっている。このため、この特許文献１記載の外装材においては、流れ方向に複数の外装材を連結するに当たり、外装材同士を上下に重ねることができる。
【０００９】
しかしながら、例えば、凹部と凸部とが軒方向に繰り返し形成された凹凸屋根材は、凹部の左右方向の両端に凸部が連続し、さらに凹部が連続しているため、凹部や凸部が変形しにくい構造となっている。このため、この凹凸屋根材においては、流れ方向に連結しようとしても、端部同士を重ね合わせることができず、従来の方法では流れ方向に連結することができなかった。
【００１０】
本発明は、上記事情に鑑みてなされたものであり、その目的とするところは、凹部と凸部とが軒方向に繰り返し形成された凹凸屋根材の運搬性を向上させることができる凹凸屋根材の接続構造、および凹凸屋根材の接続部材を提供することにある。
【課題を解決するための手段】
【００１１】
本発明の凹凸屋根材の接続構造は、凹部と凸部とが軒方向に繰り返し形成された凹凸屋根材の接続構造であって、第１の凹凸屋根材と、この第１の凹凸屋根材の水上側の端部に対向配置された第２の凹凸屋根材と、前記第１の凹凸屋根材と前記第２の凹凸屋根材との間に配置された接続部材とを備え、前記接続部材は凹条と凸条とが軒方向に繰り返し形成されたものであり、当該接続部材は、水下側端部に設けられ前記第１の凹凸屋根材の水上側端部に接続される第一接続部と、水上側端部に設けられ前記第２の凹凸屋根材の水下側端部に接続される第二接続部とを有しており、これにより、前記凹条が前記第１の凹凸屋根材の凹部と前記第２の凹凸屋根材の凹部とを接続し、前記凸条が前記第１の凹凸屋根材の凸部と前記第２の凹凸屋根材の凸部とを接続するものであることを特徴とする。
【００１２】
またこの凹凸屋根材の接続構造において、前記接続部材の凹条が前記第一接続部側に向かうほど幅狭となるように形成され、且つ前記凸条が前記第一接続部側に向かうほど幅広となるように形成されており、前記第一接続部が前記第１の凹凸屋根材に対し上方に重ねることで接続され、前記第二接続部が前記第２の凹凸屋根材に対し下方に重ねることで接続されることが好ましい。
【００１３】
またこの凹凸屋根材の接続構造において、前記接続部材は、前記第一接続部が、前記第１の凹凸屋根材の水上側端部が挿入される第一挿入部であり、前記第二接続部が、前記第２の凹凸屋根材の水下側端部が挿入される第二挿入部であることが好ましい。
【００１４】
また本発明の凹凸屋根材の接続部材は、第１の凹凸屋根材と、この第１の凹凸屋根材の水上側の端部に対向配置された第２の凹凸屋根材とを相互に接続するための接続部材であって、軒方向に凹条と凸条とが繰り返し形成されたものであり、前記凹条が水下側の端部に向かうほど幅狭となるように形成され、且つ前記凸条が水下側の端部に向かうほど幅広となるように形成され、当該接続部材の水下側の端部が前記第１の凹凸屋根材の水上側の端部の上方に重ねられ且つ当該接続部材の水上側の端部が前記第２の凹凸屋根材の水下側の端部の下方に重ねられることで、前記凹条が前記第１の凹凸屋根材の凹部と前記第２の凹凸屋根材の凹部とを接続し、前記凸条が前記第１の凹凸屋根材の凹部と前記第２の凹凸屋根材の凹部とを接続するものであることを特徴とする。
【００１５】
またこの凹凸屋根材の接続部材において、軒方向の両端には、前記凹条の底面から立ち上げられた立上片が設けられており、この立上片には水返し部が設けられ、この水返し部の水上側の端面が、前記第２の凹凸屋根材の位置決め部となることが好ましい。
【００１６】
また本発明の凹凸屋根材の接続部材は、第１の凹凸屋根材と、この第１の凹凸屋根材の水上側の端部に対向配置された第２の凹凸屋根材とを相互に接続するための接続部材であって、軒方向に凹条と凸条とが繰り返し形成されたものであり、水下側の端部に設けられ前記第１の凹凸屋根材の水上側端部が挿入される第一挿入部と、水上側の端部に設けられ前記第２の凹凸屋根材の水下側端部が挿入される第二挿入部とを備えていることを特徴とする。
【発明の効果】
【００１７】
本発明の凹凸屋根材の接続構造によれば、接続部材を介して、第１の凹凸屋根材と第２の凹凸屋根材とを屋根の流れ方向に連結することができるため、第１の凹凸屋根材と第２の凹凸屋根材とを所定の寸法とすることができる。この結果、凹凸屋根材の運搬性を向上させることができる。
【００１８】
また、本発明の凹凸屋根材の接続部材によれば、第１の凹凸屋根材と第２の凹凸屋根材とを屋根の流れ方向に連結することができる。このため、第１の凹凸屋根材と第２の凹凸屋根材とを所定の寸法とすることができ、凹凸屋根材の運搬性を向上させることができる。
【図面の簡単な説明】
【００１９】
【図１】実施形態１の凹凸屋根材の接続構造の分解斜視図である。
【図２】（ａ）は実施形態１の凹凸屋根材の接続構造の平面図であり、（ｂ）は実施形態１の凹凸屋根材の接続構造の側方から見た断面図である。
【図３】実施形態１の凹凸屋根材の接続構造の斜視図であり、凹凸屋根材を設置した状態をしめす。
【図４】実施形態１の凹凸屋根材の接続構造の斜視図であり、吊子を設置した状態を示す。
【図５】図２（ａ）におけるＡ−Ａ線断面図である。
【図６】実施形態１の凹凸屋根材の接続構造の斜視図であり、キャップ部材を設置した状態を示す。
【図７】実施形態２の凹凸屋根材の接続構造の分解斜視図である。
【図８】実施形態２の凹凸屋根材の接続構造の斜視図である。
【図９】（ａ）は実施形態２の凹凸屋根材の接続構造の平面図であり、（ｂ）は実施形態２の凹凸屋根材の接続構造の側方から見た断面図である。
【図１０】実施形態２の変形例の断面図である。
【発明を実施するための形態】
【００２０】
以下、本発明の実施形態について添付図面に基づいて説明する。
【００２１】
実施形態１の屋根は、図１に示すような凹凸屋根材２が用いられる。この凹凸屋根材２は、住宅家屋に用いられる。住宅家屋は、屋根を有しており、屋根は、例えば、片流れ屋根により構成される。屋根は、棟と軒とを有している。棟は、屋根の最も高い箇所である。また、軒は、屋根において外壁面から突出した箇所であり、屋根の最も低い箇所である。屋根は、軒棟方向に屋根勾配を有している。
【００２２】
以下、軒棟方向に平行な方向を屋根勾配方向として定義し、屋根勾配方向のうち棟から軒に向かう方向を流れ方向として定義する。また、屋根における軒側を水下側とし、屋根における棟側を水上側として定義する。また、屋根勾配方向に直角な水平方向を軒方向として定義する。
【００２３】
屋根は、屋根下地１（図２（ｂ）参照）と、凹凸屋根材２とを備えている。屋根下地１は、凹凸屋根材２の下地となるものであり、野地板１１・垂木（図示せず）・母屋（図示せず）等により構成される。屋根下地１は、棟から軒に向かって（つまり、流れ方向に）下り傾斜している。
【００２４】
凹凸屋根材２は、金属製の屋根材であり、屋根下地１の上面に載せるようにして取り付けられる。凹凸屋根材２は、図１に示すように、凹部２１と凸部２２とが軒方向に繰り返されるよう連続して形成されている。凹部２１は、屋根勾配方向に長さを有し、軒方向に幅を有している。また、凸部２２も、屋根勾配方向に長さを有し、軒方向に幅を有している。凹凸屋根材２は、金属板をプレス機やロール成型機等により曲げ加工することで形成されている。
【００２５】
屋根は、屋根勾配方向に複数の凹凸屋根材２が連結されている。本実施形態の屋根は、屋根勾配方向に２つの凹凸屋根材２が連結されており、この連結された凹凸屋根材２が軒方向に並べられるように複数取り付けられている。以下、屋根勾配方向において、水下側の凹凸屋根材２を第１の凹凸屋根材２３とし、第１の凹凸屋根材２３の棟側に配置される凹凸屋根材２を第２の凹凸屋根材２４として説明する。
【００２６】
第１の凹凸屋根材２３は、第２の凹凸屋根材２４の水下側に取り付けられている。第１の凹凸屋根材２３は、長さ方向が屋根勾配方向と平行となり、幅方向が軒方向に平行となるよう配置される。第１の凹凸屋根材２３は、長さ方向に所定の大きさとなるよう形成されている。なお、ここで言う所定の大きさとは、トラックによって運搬が容易な長さ（例えば、７ｍ）である。
【００２７】
また、第１の凹凸屋根材２３の幅方向の両端には、立設片２５が設けられている。立設片２５は、凹部２１の底面から立ち上げられている。立設片２５の上端には、下方に折り返された水返し片２６が設けられている。水返し片２６は、第１の凹凸屋根材２３の長さ方向の全長に亘って設けられている。
【００２８】
第２の凹凸屋根材２４は、第１の凹凸屋根材２３の棟側に配置されている。第２の凹凸屋根材２４の水下側の端部（軒側の端部）は、第１の凹凸屋根材２３の水上側の端部（棟側の端部）に間隔をおいて配置されており、言い換えると、第１の凹凸屋根材２３の水上側の端部に対向配置される。
【００２９】
第２の凹凸屋根材２４の凹部２１の長さ方向は、屋根勾配方向に平行である。第２の凹凸屋根材２４は、第１の凹凸屋根材２３と同様、長さ方向が屋根勾配方向と平行となり、幅方向が軒方向に平行となるよう配置される。また、第２の凹凸屋根材２４の幅方向の両端には、立設片２５が設けられている。また、立設片２５の上端には水返し片２６が設けられている。なお、この立設片２５及び水返し片２６は、第１の凹凸屋根材２３の立設片２５と同じ構造であるため説明を省略する。
【００３０】
この第１の凹凸屋根材２３と第２の凹凸屋根材２４とは、接続部材３によって連結される。
【００３１】
接続部材３は、第１の凹凸屋根材２３と第２の凹凸屋根材２４との間に配置され、これにより第１の凹凸屋根材２３と第２の凹凸屋根材２４とを連結する。接続部材３は、凹条３１と凸条３２とが軒方向に繰り返されるよう連続して形成されている。接続部材３は、例えば、合成樹脂により形成されており、射出成形等の樹脂成形によって一体形成される。
【００３２】
接続部材３は、第一接続部３３と、第二接続部３４とを備えている。第一接続部３３は、接続部材３の水下側の端部に設けられている。第一接続部３３は、第１の凹凸屋根材２３の水上側の端部に接続される。また、第二接続部３４は、接続部材３の水上側の端部に設けられている。第二接続部３４は、第２の凹凸屋根材２４の水下側の端部に接続される。
【００３３】
凹条３１は、屋根勾配方向に長さを有し、軒方向に幅を有している。凹条３１の第二接続部３４側の端部の幅は、第２の凹凸屋根材２４の凹部２１の下面の幅よりも大きく形成されている。凹条３１の両側面（凹条３１の幅方向両側の縦面）は、水下側に向かうほど、幅方向の中央側に位置するように傾斜している。言い換えると、凹条３１は、水下側に向かうほど、幅が狭くなるように（幅狭となるように）形成されており、第一接続部３３側の端部の幅は、第１の凹凸屋根材２３の凹部２１の上面の幅よりも小さく形成されている。これにより、凹条３１は、図２（ａ），図２（ｂ）に示すように、第二接続部３４においては、第２の凹凸屋根材２４の凹部２１が上方から嵌め込まれ、第一接続部３３においては、第１の凹凸屋根材２３の凹部２１が下方から嵌め込まれる。
【００３４】
また、凸条３２は、図１に示すように、屋根勾配方向に長さを有し、軒方向に幅を有している。凸条３２の第二接続部３４側の端部の幅は、第２の凹凸屋根材２４の凸部２２の下面の幅よりも小さく形成されている。凸条３２の両側面（凸条３２の幅方向両側の縦面）は、水下側に向かうほど、幅方向の外側に位置するように傾斜している。言い換えると、凸条３２は、水下側に向かうほど、幅が広くなるように（幅広となるように）形成されており、第一接続部３３側の端部の幅が、第１の凹凸屋根材２３の凸部２２の上面の幅よりも大きく形成されている。これにより、凸条３２は、図２（ａ），図２（ｂ）に示すように、第二接続部３４においては、第２の凹凸屋根材２４の凸部２２が上方から嵌め込まれ、第一接続部３３においては、第１の凹凸屋根材２３の凸部２２が下方から嵌め込まれる。
【００３５】
このように、接続部材３は、第１の凹凸屋根材２３と第２の凹凸屋根材２４との間に取り付けられると、第１の凹凸屋根材２３の凸部２２と、第２の凹凸屋根材２４の凸部２２とを接続する。また、接続部材３は、第１の凹凸屋根材２３と第２の凹凸屋根材２４との間に取り付けられると、第１の凹凸屋根材２３の凹部２１と、第２の凹凸屋根材２４の凹部２１とを接続する。
【００３６】
これにより、第１の凹凸屋根材２３の凹部２１と第２の凹凸屋根材２４の凹部２１とが通じることで、凹部２１を流下する雨水を軒先にまで導くことができる。しかも、凹条３１の側面は、直線状に傾斜しているから、凹条３１を流れる雨水をスムーズに軒先に導くことができて、雨水が接続部材３上に滞留するのを防ぐことができる。
【００３７】
また、図１に示すように、本実施形態の接続部材３の幅方向の両側には、凹条３１の底面から立ち上げられた立上片３５が設けられている。立上片３５は、接続部材３の幅方向の両側面を形成する。立上片３５は、第２の凹凸屋根材２４の立設片２５の外側に配置され、第１の凹凸屋根材２３の立設片２５の内側に配置される。この立上片３５の上端には、水返し部３６が設けられている。
【００３８】
水返し部３６は、立上片３５の長さ方向の中間部分に設けられている。水返し部３６は、凹条３１内の雨水が、立上片３５を越えてしまうのを防ぐためのものである。この水返し部３６の水上側の端面は、立上片３５の長さ方向の水上側の端面から水下側に向かって所定の寸法（接続部材３と第２の凹凸屋根材２４との重ね寸法）離れた位置に配置される。これにより、水返し部３６の水上側の端面は、第２の凹凸屋根材２４の位置決め部として機能する。
【００３９】
なお、水返し部３６の水下側の端面も、立上片３５の長さ方向の水下側の端面から水上側に向かって所定寸法離れた位置に設けられている。これにより、第１の凹凸屋根材２３の立設片２５の水返し片２６に干渉しないように構成されている。
【００４０】
本実施形態の凹凸屋根材２は、例えば、次のようにして設置される。
【００４１】
施工者は、屋根下地１上の軒側の端部に第１の凹凸屋根材２３を配置する。このとき、図１に示すように、第１の凹凸屋根材２３の水上側の端部に、幅方向の全長に亙ってパッキン７を配置する。
【００４２】
次いで、施工者は、第１の凹凸屋根材２３の水上側の端部に接続部材３を上方から重ねて配置する。このとき、施工者は、接続部材３の水上側の端部に、幅方向の全長に亙ってパッキン７を配置する。なお、このパッキン７は、製造時（工場出荷時）に設けられていてもよいし、現場施工によって設けられてもよい。
【００４３】
この後、施工者は、図３に示すように、接続部材３の水上側の端部に、第２の凹凸屋根材２４の水下側の端部を上方から重ねる。施工者は、この後、第１の凹凸屋根材２３と接続部材３との継ぎ目、および接続部材３と第２の凹凸屋根材２４との継ぎ目をシーリングする。これにより、施工者は、第１の凹凸屋根材２３と第２の凹凸屋根材２４とを連結する。
【００４４】
次いで、施工者は、図４に示すように、屋根勾配方向に連結された第１の凹凸屋根材２３と第２の凹凸屋根材２４との軒方向の両側に吊子５を配置する。
【００４５】
吊子５は、図５に示すように、金属板を断面Ｕ字状に曲げ加工したものである。吊子５は、図４に示すように、軒方向において凹凸屋根材２同士の間に配置される。吊子５は、その長さ方向が屋根勾配方向に平行となるように配置され、屋根下地１上に固着具を介して固定される。
【００４６】
次いで、施工者は、図６に示すように、キャップ部材６を嵌め込む。キャップ部材６は、金属板を下向きＵ字状に曲げ加工したものである。キャップ部材６は、吊子５を上方から覆うようにして設置される。
【００４７】
以上、説明したように、本実施形態の凹凸屋根材２の接続構造は、凹部２１と凸部２２とが軒方向に繰り返し形成されたものである。この接続構造は、第１の凹凸屋根材２３と、第１の凹凸屋根材２３の水上側の端部に対向配置された第２の凹凸屋根材２４と、第１の凹凸屋根材２３と第２の凹凸屋根材２４との間に配置された接続部材３とを備えている。接続部材３は、凹条３１と凸条３２とが軒方向に繰り返し形成されたものである。この接続部材３は、水下側端部に設けられた第一接続部３３と、水上側端部に設けられた第二接続部３４とを有している。第一接続部３３は、第１の凹凸屋根材２３の水上側端部に接続される。第二接続部３４は、第２の凹凸屋根材２４の水下側端部に接続される。接続部材３の凹条３１は、第１の凹凸屋根材２３の凹部２１と前記第２の凹凸屋根材２４の凹部２１とを接続する。また、凸条３２は、第１の凹凸屋根材２３の凸部２２と第２の凹凸屋根材２４の凸部２２とを接続する。
【００４８】
このように、本実施形態の凹凸屋根材２の接続構造は、第１の凹凸屋根材２３と第２の凹凸屋根材２４とを接続部材３を介して連結する。従って、本実施形態の凹凸屋根材２の接続構造によれば、第１の凹凸屋根材２３と第２の凹凸屋根材２４とについて、定尺のものを使用することができ、屋根材の扱いやすさ（つまり、施工性）や運搬性を向上させることができる。
【００４９】
また、本実施形態の接続部材３は、凹条３１が第一接続部３３側に向かうほど幅狭となるように形成され、且つ凸条３２が前記第一接続部３３側に向かうほど幅広となるように形成されている。そして、第一接続部３３が第１の凹凸屋根材２３に対し上方に重ねることで接続される。また、第二接続部３４が第２の凹凸屋根材２４に対し下方に重ねることで接続される。
【００５０】
このため、本実施形態の凹凸屋根材２の接続構造によれば、止水性を高く保ったままで、第１の凹凸屋根材２３と第２の凹凸屋根材２４を連結することができる。
【００５１】
また、本実施形態の接続部材３は、第１の凹凸屋根材２３と、この第１の凹凸屋根材２３の水上側の端部に対向配置された第２の凹凸屋根材２４とを相互に接続するためのものである。接続部材３は、軒方向に凹条３１と凸条３２とが繰り返し形成されたものである。また、凹条３１は、水下側の端部に向かうほど幅狭となるように形成される。また凸条３２は、水下側の端部に向かうほど幅広となるように形成される。この接続部材３の水下側の端部は、第１の凹凸屋根材２３の水上側の端部の上方に重ねられる。また接続部材３の水上側の端部は、第２の凹凸屋根材２４の水下側の端部の下方に重ねられる。これにより、接続部材３は、凹条３１が第１の凹凸屋根材２３の凹部２１と第２の凹凸屋根材２４の凹部２１とを接続し、凸条３２が第１の凹凸屋根材２３の凹部２１と第２の凹凸屋根材２４の凹部２１とを接続する。
【００５２】
このため、本実施形態の接続部材３によれば、第１の凹凸屋根材２３と第２の凹凸屋根材２４とを接続部材３を介して連結することができる。この結果、第１の凹凸屋根材２３と第２の凹凸屋根材２４とについて、定尺のものを使用することができるようになり、運搬が容易にできるようになる。
【００５３】
また、本実施形態の接続部材３は、軒方向の両端には、凹条３１の底面から立ち上げられた立上片３５が設けられている。この立上片３５には水返し部３６が設けられている。この水返し部３６の水上側の端面は、第２の凹凸屋根材２４の位置決め部となっている。
【００５４】
このため、本実施形態の接続部材３によれば、水返し部３６と第２の凹凸屋根材２４との間に隙間ができるのを防ぐことができる上に、第２の凹凸屋根材２４の重ね代を一定にすることができる。
【００５５】
次に、実施形態２について図７〜９に基づいて説明する。なお、実施形態２は、実施形態１と大部分において同じであるため、同じ部分においては同符号を付して説明を省略し、主に異なる部分について説明する。
【００５６】
本実施形態の凹凸屋根材２の接続構造は、接続部材３の構造が実施形態１のものとは異なり、凹凸屋根材２等のその他の構造は実施形態１のものと同じである。
【００５７】
本実施形態の接続部材３は、図７に示すように、実施形態１の接続部材３と同様、水下側端部に第一接続部３３が設けられ、水上側端部に第二接続部３４が設けられている。
【００５８】
第一接続部３３は、接続部材３の水下側の端部に設けられており、第１の凹凸屋根材２３の水上側の端部が接続される。本実施形態の第一接続部３３は、第１の凹凸屋根材２３の水上側端部が挿入されるよう構成されている（以下、本実施形態の第一接続部３３を第一挿入部３７という）。第一挿入部３７は、図９（ｂ）に示すように、第１の凹凸屋根材２３の水上側の端面の形状に合わせて形成される第一挿入口３８と、第一挿入口３８の奥側に設けられた第一奥壁３９とを備えている。
【００５９】
第二接続部３４は、接続部材３の水上側の端部に設けられており、第２の凹凸屋根材２４の水下側の端部が接続される。本実施形態の第二接続部３４は、第２の凹凸屋根材２４の水下側端部が挿入されるよう構成されている（以下、本実施形態の第二接続部３４を第二挿入部４０という）。第二挿入部４０は、第２の凹凸屋根材２４の水下側の端面の形状に合わせて形成される第二挿入口４１と、第二挿入口４１の奥側に設けられた第二奥壁４２とを備えている。
【００６０】
本実施形態の凹凸屋根材２の接続構造は、例えば次のように施工される（図８参照）。
【００６１】
施工者は、屋根下地１上の軒側の端部に第１の凹凸屋根材２３を配置する。次いで、施工者は、第１の凹凸屋根材２３の水上側の端部に、接続部材３の第一挿入部３７を嵌め込む。このとき、施工者は、図９（ｂ）に示すように、接続部材３を、第一奥壁３９が第１の凹凸屋根材２３の水上側の端面に当たるまで押し込む。次いで、施工者は、第二挿入口４１に第２の凹凸屋根材２４の水下側の端部を挿入し、第二奥壁４２に当たるまで押し込む。
【００６２】
この後、施工者は、接続部材３と第１の凹凸屋根材２３と第２の凹凸屋根材２４との継ぎ目にシーリング材を打ち込む。
【００６３】
以上、説明したように、本実施形態の凹凸屋根材２の接続構造において、接続部材３は、第一接続部３３が第一挿入部３７であり、第二接続部３４が第二挿入部４０である。第一挿入部３７は、第１の凹凸屋根材２３の水上側端部が挿入される。また、第二接続部３４は、第２の凹凸屋根材２４の水下側端部が挿入される。
【００６４】
このため、本実施形態の接続部材３は、第１の凹凸屋根材２３の水上側端部と、第２の凹凸屋根材２４の水下側端部とに、高い止水性を確保した状態で接続することができる。
【００６５】
なお、実施形態２の接続部材３は、図１０に示すような構造であってもよい。以下、この図１０に示す構造を変形例という。
【００６６】
変形例に係る接続部材３は、水上側の端部に固定片４３を有している。固定片４３は、屋根下地１に固着具を介して固定される。これにより、接続部材３を屋根下地１上に固定することができる。
【００６７】
固定片４３は、接続部材３の水上側端部の下端から水上側に突出している。この固定片４３は、第２の凹凸屋根材２４の下方に配置される。なお、固定片４３は、接続部材３の軒方向の全長に亙って設けられていてもよいし、一部に設けられていてもよい。
【００６８】
変形例の接続部材３によれば、接続部材３を屋根下地１に固定することができるため、凹凸屋根材２の浮き上がりや脱落を効果的に防ぐことができる。
【００６９】
なお、実施形態１，２の屋根は、片流れ屋根であったが、切妻屋根や寄棟屋根であってもよく、特に限定されない。
【符号の説明】
【００７０】
１      屋根下地
１１    野地板
２      凹凸屋根材
２１    凹部
２２    凸部
２３    第１の凹凸屋根材
２４    第２の凹凸屋根材
２５    立設片
２６    水返し片
３      接続部材
３１    凹条
３２    凸条
３３    第一接続部
３４    第二接続部
３５    立上片
３６    水返し部
３７    第一挿入部
３８    第一挿入口
３９    第一奥壁
４０    第二挿入部
４１    第二挿入口
４２    第二奥壁
４３    固定片
５      吊子
６      キャップ部材
７      パッキン
【図１】
2015151726.tif 000003
【図２】
2015151726.tif 000004
【図３】
2015151726.tif 000005
【図４】
2015151726.tif 000006
【図５】
2015151726.tif 000007
【図６】
2015151726.tif 000008
【図７】
2015151726.tif 000009
【図８】
2015151726.tif 000010
【図９】
2015151726.tif 000011
【図１０】
2015151726.tif 000012